(57)【要約】【課題】  増毛用毛髪を自毛に固着するのに高度な技術を必要とせず、また、結び目を大きくしなくても十分な接着力を有する増毛用毛髪及び増毛用毛髪の固着方法を提供することを目的とする。【解決手段】  擬毛１２と、その擬毛の表面に付着するマイクロカプセル１４と、からなり、マイクロカプセルの内部には接着剤１６が内包されていることを特徴とする増毛用毛髪１０とし、また、そのような増毛用毛髪を形成する工程と、その増毛用毛髪を自毛２０に結着する工程と、結着する際に潰れた前記マイクロカプセルの内部から流出した前記接着剤を乾燥させる工程と、残存している前記マイクロカプセルを洗い流す工程と、を有する増毛用毛髪の固着方法とする。【選択図】    図１
2015001035.tif 000002
【特許請求の範囲】
【請求項１】
擬毛と、前記擬毛の表面に付着するマイクロカプセルと、からなり、前記マイクロカプセルの内部には接着剤が内包されていることを特徴とする増毛用毛髪。
【請求項２】
前記擬毛の表面に水溶性バインダーが付着してあり、前記マイクロカプセルが前記水溶性バインダーを介して前記擬毛の表面に付着していることを特徴とする請求項１に記載の増毛用毛髪。
【請求項３】
接着剤が内包されたマイクロカプセルを擬毛の表面に付着させて増毛用毛髪を形成する工程と、
前記増毛用毛髪を自毛に結着する工程と、
結着する際に潰れた前記マイクロカプセルの内部から流出した前記接着剤を乾燥させる工程と、
残存している前記マイクロカプセルを洗い流す工程と、
を有することを特徴とする増毛用毛髪の固着方法。
【請求項４】
増毛用毛髪を形成する工程が、接着剤が内包されたマイクロカプセルと水溶性バインダーとを混合した溶液に擬毛を浸漬することによって行われ、かつ、マイクロカプセルを洗い流す工程が、残存している前記マイクロカプセルと前記水溶性バインダーとを洗い流す工程であることを特徴とする請求項３に記載の増毛用毛髪の固着方法。
【発明の詳細な説明】
【技術分野】
【０００１】
本発明は、自毛に結着して増毛を行うのに用いられる増毛用毛髪及びその増毛用毛髪の固着方法に関する。
【背景技術】
【０００２】
従来より、自毛に擬毛を固着して増毛する施術が行われている。このとき、増毛した擬毛が容易に取れてしまうことを防ぐために、解けにくい結着方法（例えば、特許文献１）や、接着剤を塗布して擬毛を固着する方法が考えられている。なお、結着とは擬毛（増毛用毛髪）を自毛に結びつけることとし、固着とは擬毛（増毛用毛髪）を自毛に結着や接着剤によって固定することとする。また、擬毛とは増毛に用いられる毛そのものとし、増毛用毛髪とは接着剤を塗布するなどの何らかの細工を施して増毛に用い易くした擬毛のことと定義する。
【０００３】
図４は、従来の結着方法を示す図である。このような複雑な結着方法の場合、結着した擬毛１２が解けないようにしっかりと自毛２０に結びつけるため、結び目１３を何重にも施すことになる。その結果、結び目１３が大きくなり、外観上目立ってしまうという問題を生じることになる。
【０００４】
また、接着剤による固着の場合も同様に、結着した擬毛が取れないように、結び目全体を接着剤で覆って固化させるので、結び目自体を小さくしたとしても、接着剤を含めると大きくなり、外観上目立ってしまうということがある。
【０００５】
さらに、結着による場合及び接着剤による固着の場合のいずれにおいても、作業が容易ではなく手間がかかるため、訓練を受けた専門の施術者が作業を行う必要があり、施術者の育成や確保が困難であるといった問題もある。
【先行技術文献】
【特許文献】
【０００６】
【特許文献１】特開平１０−５３９１０号公報
【発明の概要】
【発明が解決しようとする課題】
【０００７】
これらの実情に鑑み、本発明では、増毛用毛髪を自毛に固着するのに高度な技術を必要とせず、また、結び目を大きくしなくても十分な接着力を有する増毛用毛髪及び増毛用毛髪の固着方法を提供することを目的とする。
【課題を解決するための手段】
【０００８】
上記の目的を達成するために本発明の増毛用毛髪は、擬毛と、その擬毛の表面に付着するマイクロカプセルと、からなり、マイクロカプセルの内部には接着剤が内包されていることを特徴とするものである。なお、擬毛の表面に水溶性バインダーが付着してあり、マイクロカプセルが前記水溶性バインダーを介して前記擬毛の表面に付着していることにしてもよい。
【０００９】
また、本発明の増毛用毛髪の固着方法は、接着剤が内包されたマイクロカプセルを擬毛の表面に付着させて増毛用毛髪を形成する工程と、その増毛用毛髪を自毛に結着する工程と、結着する際に潰れた前記マイクロカプセルの内部から流出した前記接着剤を乾燥させる工程と、残存している前記マイクロカプセルを洗い流す工程と、を有することを特徴とするものである。なお、増毛用毛髪を形成する工程が、接着剤が内包されたマイクロカプセルと水溶性バインダーとを混合した溶液に擬毛を浸漬することによって行われ、かつ、マイクロカプセルを洗い流す工程が、残存している前記マイクロカプセルと前記水溶性バインダーとを洗い流す工程であることにしてもよい。
【発明の効果】
【００１０】
本発明の増毛用毛髪を用いると、接着剤を内包したマイクロカプセルが結着の際に潰れ、結び目の内側に接着剤が流出するので、必要な箇所に接着剤を塗布することができ、結び目を大きくしなくても十分な接着力を有する固着が実現できる。さらに、本発明の増毛用毛髪の固着方法では、増毛用毛髪を固着するのに高度な技術を必要とせず、容易に固着できるという効果を奏する。
【図面の簡単な説明】
【００１１】
【図１】本発明の増毛用毛髪を自毛に固着する状況を示す図であって、（ａ）は結び目に自毛を通したところ、（ｂ）は結着している途中、（ｃ）は固着終了時を示す。
【図２】水溶性バインダーを用いた場合の増毛用毛髪の拡大断面図である。
【図３】増毛用毛髪にマイクロカプセルを付着させる状況を示す図である。
【図４】従来の結着方法を示す図である。
【発明を実施するための形態】
【００１２】
以下、本発明の実施の形態を、添付図面を参照して説明する。
図１は、本発明の増毛用毛髪を自毛に固着する状況を示す図であって、（ａ）は結び目に自毛を通したところ、（ｂ）は結着している途中、（ｃ）は固着終了時を示す。
【００１３】
増毛用毛髪１０は、擬毛１２の表面にマイクロカプセル１４を付着させて形成したものである。マイクロカプセル１４の内部には、接着剤１６が内包されている。
【００１４】
このマイクロカプセル１４の製造方法は、特に限定するものではなく、一般に用いられている方法（例えば界面沈殿法）を用いればよい。なお、マイクロカプセル１４の粒子径は、毛髪径が０．０５ｍｍから０．０７ｍｍ程度であることを考慮して、１０μｍ以下にするのが好ましい。また、マイクロカプセル１４の壁材は、結着時に潰れる程度の強度のもので、材料としては、メラミン樹脂、ゼラチン、尿素樹脂、ポリウレタン樹脂、ポリウレア樹脂、ポリアミド樹脂など各種の材料を使用することができる。
【００１５】
接着剤１６は、マイクロカプセル１４に内包でき、かつ、洗髪で容易に落ちないものとし、例えばシリコン系接着剤等を用いるとよい。なお、接着剤１６を二液混合タイプとし、２種類のマイクロカプセル１４を製造して擬毛１２に付着させるというようなものでもよい。
【００１６】
マイクロカプセル１４の擬毛１２への付着は、マイクロカプセル１４の壁材がゼラチンやメラミン樹脂のように粘性を有するときは、それ自体の粘性で付着させてもよいし、また、水溶性の糊剤を水溶性バインダーとして用いることで、水溶性バインダーを介して擬毛１２にマイクロカプセル１４を付着させてもよい。なお、図１では、水溶性バインダーを用いないでマイクロカプセル１４を直接付着させた例を図示している。
【００１７】
増毛用毛髪１０の自毛２０への固着方法は、まず図１（ａ）に示すように、マイクロカプセル１４を付着した増毛用毛髪１０で結び目１３を形成し、その結び目１３に自毛２０を通す。結び目１３の形状は特に限定しないが、あまり結び目１３が大きくない図１（ａ）のような単純な輪形状とするのが好ましい。
【００１８】
次に図１（ｂ）では、結着するために結び目１３を絞っている途中を示している。このとき、擬毛１２同士、又は擬毛１２と自毛２０が擦れたり接触したりすることにより、自動的にマイクロカプセル１４の幾つかが潰されて、内包されていた接着剤１６が流出する。そして、このとき流出した接着剤１６は、主に結び目１３の内側に付着する。その状態で、しばらく接着剤１６を乾燥させると、擬毛１２と自毛２０とは接着剤１６によって固着される。
【００１９】
図１（ｃ）は結着が完了した固着終了時を示している。接着剤１６によって擬毛１２と自毛２０とが固着された後、洗髪をすると、水溶性バインダー１８を使用していないときは潰れていないマイクロカプセル１４が、水溶性バインダー１８を使用しているときは水溶性バインダー１８及び潰れていないマイクロカプセル１４が、洗い流されることになる。そうすると、結び目１３の内側に付着した固着に必要な接着剤１６のみが残存するので、結び目１３はそれほど大きくならない態様で、擬毛１２と自毛２０とを固着することができる。
【００２０】
なお、図１では、水溶性バインダーを用いていない例を示したが、マイクロカプセル１４を擬毛１２に付着させるために水溶性バインダーを用いることが多い。図２は、水溶性バインダーを用いた場合の増毛用毛髪の拡大断面図である。また、図３は、増毛用毛髪にマイクロカプセルを付着させる状況を示す図である。
【００２１】
水溶性バインダー１８を用いる場合の増毛用毛髪１０は、擬毛１２の表面を水溶性バインダー１８で覆い、水溶性バインダー１８にマイクロカプセル１４を付着させた状態になっている。このような増毛用毛髪１０は、図３に示すように水溶性バインダー１８とマイクロカプセル１４を混合した溶液に、擬毛１２を浸漬することにより水溶性バインダー１８を介してマイクロカプセル１４の付着がなされる。このとき、擬毛１２は折り返した状態で浸漬させれば、結び目１３になる位置にマイクロカプセル１４を多く付着させることができる。なお、上述したように、不要なマイクロカプセル１４は固着後に洗い流されるので、ここでは結び目１３の内側だけにマイクロカプセル１４を付着させるというような、煩雑な作業を行う必要はない。
【００２２】
以上のような増毛用毛髪１０を用いて固着する場合は、接着剤１６を必要な箇所だけに付着することができるので、結び目１３は小さくできる。また、結び目１３の形状は単純な形状でよいので、固着するのに高度な技術は要求されない。また、接着剤１６はマイクロカプセル１４に内包されていて、結着により自動的に接着剤１６が必要な箇所に流出されるため、施術は従来に比べて容易に行うことができる。
【符号の説明】
【００２３】
１０    増毛用毛髪
１２    擬毛
１３    結び目
１４    マイクロカプセル
１６    接着剤
１８    水溶性バインダー
２０    自毛
【図１】
2015001035.tif 000003
【図２】
2015001035.tif 000004
【図３】
2015001035.tif 000005
【図４】
2015001035.tif 000006